(57)【要約】【課題】本発明はシリンダー内周面並びに巻き軸外周面に沿った液体の漏出、又はコアレスロールにおける巻き芯の貫通空隙を通じた液体の漏出を有効に防止し、多重巻きロールの一方の巻き端面に供給された液体の巻き層内への浸透効率を向上し、同ロールの濾過性能を大幅に向上する液体濾過装置を提供する。【解決手段】濾布を多重巻きして成る多重巻きロール１をシリンダー１１内に装填し、液体３を該多重巻きロール１の一方の巻き端面２から多重巻きロール１の巻き層内に浸透せしめて同他方の巻き端面７から導出する液体濾過装置において、液体導入筒１７の開口端２０，２１を上記多重巻きロール１の一方の巻き端面２外周部の巻き層内に環状に食い込ませ、該液体導入筒１７内に導入した液体３を上記開口端２０，２１の食い込みにより画成された同開口端内域の巻き端面２から多重巻きロール１の巻き層内に浸透せしめる構成とした液体濾過装置。【選択図】        図１
2008136915.tif 000002
【特許請求の範囲】
【請求項１】
濾布を多重巻きして成る多重巻きロールをシリンダー内に装填し、液体を該多重巻きロールの一方の巻き端面から多重巻きロールの巻き層内に浸透せしめて同他方の巻き端面から導出する液体濾過装置において、液体導入筒の開口端を上記多重巻きロールの一方の巻き端面外周部の巻き層内に環状に食い込ませ、該液体導入筒内に導入した液体を上記開口端の食い込みにより画成された同開口端内域の巻き端面から多重巻きロールの巻き層内に浸透せしめる構成としたことを特徴とする液体濾過装置。
【請求項２】
上記液体導入筒は互いに同心に設けた外筒と内筒を備え、該外筒の開口端を上記多重巻きロールの一方の巻き端面外周部の巻き層内に環状に食い込ませると共に、上記内筒の開口端を上記多重巻きロールの巻芯周囲の上記一方の巻き端面内周部の巻き層内に環状に食い込ませ、上記内筒と外筒間に導入した液体を上記各開口端の食い込みにより画成された外筒と内筒間の巻き端面から多重巻きロールの巻き層内に浸透せしめる構成としたことを特徴とする請求項１記載の液体濾過装置。
【請求項３】
上記液体導入筒を上記シリンダーの密閉蓋と一体に設け、該密閉蓋の閉蓋により上記食い込み状態を形成する構成としたことを特徴とする請求項１又は２記載の液体濾過装置。
【発明の詳細な説明】
【技術分野】
【０００１】
本発明は各種廃液等の不純物を含有する液体、例えば使用済み食用油や、ビルの床等の清掃に用いられる使用済み洗浄液等の濾過再生に用いられる、濾過手段として多重巻きロールを用いた液体濾過装置に関する。
【背景技術】
【０００２】
特許文献１に示すように、従来、紙製の濾布を多重巻きして成る多重巻きロールをシリンダー内に同心に装填し、液体を該多重巻きロールの一方の巻き端面から多重巻きロールの巻き層内に浸透せしめて同他方の巻き端面から導出する液体濾過装置が既知であり、上記多重巻きロールの一方の巻き端面と面するシリンダー端部の液体供給室内に濾過すべき液体を導入し、上記多重巻きロールの一方の巻き端面から同ロール内への浸透を図る構成を採っている。
【特許文献１】実用新案登録第３１０４０２８号公報
【発明の開示】
【発明が解決しようとする課題】
【０００３】
而して従来のこの種液体濾過装置においては、図６に示すように、多重巻きロール１の一方の巻き端面上に供給された液体３の一部が、多重巻きロール１の外周面とシリンダー４の内周面との界面５を通り、同ロール１の巻き層内を通過せずにロール１の他方の巻き端面から導出されてしまう現象を生ずる。
【０００４】
同様に上記液体３の一部が、多重巻きロール１の巻芯に存する巻き軸８の外周面と多重巻きロール１の巻き軸８と接する面との界面６を通り、同ロール１の巻き層内を通過せずにロール１の他方の巻き端面から導出されてしまう現象を生ずる。
【０００５】
上記現象は液体３を多重巻きロール１の一方の巻き端面から加圧浸透せしめる場合に顕著であり、これら現象は液体濾過効率と濾過性能の無視し難い低下を招いている。
【課題を解決するための手段】
【０００６】
本発明は上記多重巻きロールの液体導入面たる一方の巻き端面に液体を供給する手段として液体導入筒を備え、該液体導入筒の開口端を上記多重巻きロールの一方の巻き端面外周部の巻き層内に環状に食い込ませ、該液体導入筒内に導入した液体を上記開口端の食い込みにより画成された同開口端内域の巻き端面から多重巻きロールの巻き層内に効率良く浸透せしめ、上記シリンダー内周面に沿った液体の漏出を有効に防止し、濾過性能を向上せしめる液体濾過装置を提供するものである。
【０００７】
更に他の具体例として、上記液体導入筒に互いに同心に設けた外筒と内筒を具備せしめ、該外筒の開口端を上記多重巻きロールの一方の巻き端面外周部の巻き層内に環状に食い込ませると共に、上記内筒の開口端を上記多重巻きロールの巻芯周囲の上記一方の巻き端面内周部の巻き層内に環状に食い込ませ、上記内筒と外筒間に導入した液体を上記各開口端の食い込みにより画成された外筒と内筒間の巻き端面から多重巻きロールの巻き層内に浸透せしめる構成とし、外筒と内筒の協働により上記シリンダー内周面並びに巻き軸外周面に沿った液体の漏出を有効に防止し、濾過性能を向上せしめる液体濾過装置を提供するものである。
【０００８】
又上記液体導入筒は上記シリンダーの密閉蓋と一体に設け、多重巻きロールをシリンダー内に装填し、密閉蓋を閉蓋するのみで上記食い込み状態が容易に得られる構成とすることができる。
【０００９】
上記濾過手段として用いられる多重巻きロールは、前記従来例の如く巻芯に巻き軸を有するものと、巻芯に巻き軸を有しないもの、即ちコアレスロールがあり、コアレスロールである場合には上記内筒を用いずに、多重巻きロールの一方の巻き端面外周部の巻き層内に液体導入筒、即ち外筒を食い込ませる構造にして所期の目的が達成できる。
【００１０】
又巻芯に巻き軸を有しないが巻き芯に貫通空隙を有するコアレスロールである場合にも、上記外筒と内筒による食い込み構造を採ることにより、上記貫通空隙内を液体が漏出する現象を内筒によって有効に防止することができる。
【発明の効果】
【００１１】
本発明は上記シリンダー内周面並びに巻き軸外周面に沿った液体の漏出、又はコアレスロールにおける巻き芯の貫通空隙を通じた液体の漏出を有効に防止し、多重巻きロールの一方の巻き端面に供給された液体の巻き層内への浸透効率を向上し、同ロールの濾過性能を大幅に向上することができる。
【発明を実施するための最良の形態】
【００１２】
以下、本発明を実施するための最良の形態を図１乃至図５に基づき説明する。
【００１３】
本発明における濾過手段として用いられる多重巻きロール１は、前記従来例の如く巻芯に巻き軸８を有するものと、巻芯に巻き軸８を有しないもの、即ちコアレスロールがあり、コアレスロールとしては巻き芯に貫通空隙を有するコアレスロールと、貫通空隙を有さないコアレスロールがあり、本発明における液体濾過装置においては上記全ての多重巻きロール１の適用が可能であるが、以下、代表例として巻き芯に巻き軸８を有する多重巻きロール１を適用した例に基づき説明する。
【００１４】
図１乃至図４に示すように、上記多重巻きロール１は巻き軸８に帯状の濾布１０を多重巻きして形成する。該濾布１０としては、紙製の濾布１０、一例として図示の如くクレープを施したクラフト紙から成る濾布１０の他、タオル原紙、おしぼり原紙、その他の家庭用薄用紙等の紙製濾布１０、又は合成樹脂製、その他の材質から成る織布又は不織布を適用する。
【００１５】
上記巻き軸８は好ましくは紙管を用いる。又は紙管の他、合成樹脂管、又は金属管等を用いることができる。
【００１６】
上記多重巻きロール１をシリンダー１１内に同心に装填し、該多重巻きロール１の挿入口を密閉蓋１４にて閉鎖し、加圧状態の液体３、即ち廃液を該多重巻きロール１の一方の巻き端面２から多重巻きロール１の巻き層内に浸透せしめて同他方の巻き端面７から導出する構造である。
【００１７】
上記シリンダー１１は金属又は合成樹脂等により形成し、一端に多重巻きロール装填口９を有し、該装填口９を密閉蓋１４により開閉可能とする。又シリンダー１１他端の底板１５の中心部に上記多重巻きロール１によって濾過された液体３の排出口１６を設ける。
【００１８】
上記多重巻きロール１は上記シリンダー１１の底板１５上に後記するスペーサー３０を介して荷受けし、上記シリンダー１１と略同心にして且つシリンダー１１内周面と密接するように装填し、軸線上（巻き芯上）において対向する一方の巻き端面２で液体導入面を形成し、同他方の巻き端面７で液体導出面を形成している。
【００１９】
更に上記多重巻きロール１の液体導入面たる一方の巻き端面２に液体３を供給する手段として液体導入筒１７を備える。
【００２０】
上記液体導入筒１７は互いに同心で同じ長さの大径の外筒１８と小径の内筒１９を具備し、図４に示すように、該液体導入筒１７の外筒１８の開口端２０を上記多重巻きロール１の一方の巻き端面２外周部の巻き層内に環状に食い込ませて、上記液体３の上記多重巻きロール１の外周面に接するシリンダー１１内周面に沿った液体漏出を阻止する。即ち多重巻きロール１の外周面とシリンダー１１の内周面との界面５を通しての漏出を阻止する。
【００２１】
他方、上記内筒１９の開口端２１を上記多重巻きロール１の巻芯周囲の上記一方の巻き端面２内周部の巻き層内に環状に食い込ませて、上記液体３の上記巻き軸８周囲への漏出を阻止する。即ち多重巻きロール１の巻芯に存する巻き軸８の外周面と多重巻きロール１の巻き軸８と接する内周面との界面６を通しての液体漏出を阻止する。
【００２２】
再述すると、上記液体導入筒１７内、即ち外筒１８と内筒１９間に導入した液体３を、該外筒１８と内筒１９の開口端２０，２１の食い込みにより画成された開口端２０，２１間、即ち外筒１８と内筒１９間の巻き端面２から多重巻きロール１の巻き層内に効率良く浸透せしめる。
【００２３】
よって外筒１８と内筒１９の協働により、上記シリンダー１１内周面並びに巻き軸８外周面に沿った液体３の漏出を有効に防止し、濾過性能を適切に発揮せしめ、上記液体３を多重巻きロール１の一方の巻き端面２から加圧浸透せしめる場合において有効である。
【００２４】
図１，図２，図４に示すように、上記外筒１８と内筒１９は互いに同心円の正円筒体であり、該外筒１８と内筒１９を同心且つ一体構造に形成する。
【００２５】
図１，図２に示すように、上記外筒１８と内筒１９の開口端２０，２１は上記多重巻きロール１の一方の巻き端面２に面する巻き層端内に圧入するように食い込ませる。
【００２６】
又は図５に示すように、上記外筒１８と内筒１９の開口端２０，２１の端面を上記多重巻きロール１の一方の巻き端面２に押し当て、巻き端面２を圧縮しつつ巻き層内に僅かに食い込ませる。
【００２７】
又上記外筒１８と内筒１９を有する液体導入筒１７は、上記シリンダー１１の密閉蓋１４と一体に設け、上記多重巻きロール１をシリンダー１１内に略同心に装填し、密閉蓋１４を閉蓋することによりシリンダー１１を密閉すると共に、閉蓋するのみで上記食い込み状態が容易に得られる構成とする。
【００２８】
上記密閉蓋１４と一体に形成した外筒１８と内筒１９の具体構造の一例として、図１，図２に示すように、金属や合成樹脂等により形成した上記密閉蓋１４の内面に上記外筒１８と内筒１９の端部を溶接又は接着等して蓋１４内面から一体に垂設する。
【００２９】
上記密閉蓋１４は該シリンダー１１の上端から外方へ向け張り出した環状のフランジ２３上に重ね、該環状の重ね合わせ部を締結部材２５により締結し、上記閉蓋状態を保持せしめる。該締結部材２５を解除し密閉蓋１４を開放することにより、装填口９を通じてのシリンダー１１内への多重巻きロール１の装填を行う。
【００３０】
上記密閉蓋１４の上面には把手２４を一体に設け、該密閉蓋１４の開閉作業に供し、密閉蓋１４を閉蓋し締結部材２５で締結することにより上記食い込み状態を形成し、これを維持する。
【００３１】
又上記外筒１８とこれに対向するシリンダー１１間の環状空隙には環状のパッキン２２を介装し、上記密閉蓋１４とシリンダー１１の気密閉蓋状態を形成する。
【００３２】
上記シリンダー１１内への上記液体３、即ち廃液の導入手段として、図１に示すように、上記密閉蓋１４に液体供給口２６を貫設し、該供給口２６に液体供給管（ホース又はパイプ）２７を接続して液体３を液体導入筒１７内の液体導入室２８内に導入する。即ち上記外筒１８と内筒１９間に画成された液体導入室２８内に導入する。
【００３３】
上記液体供給管２７はその液体放出端に設けた液体放出具２９を液体供給口２６に螺合して接続する。
【００３４】
又液体供給手段の他例として図２に示すように、上記外筒１８とこれに対向するシリンダー壁に同心の液体供給口２６を貫設し、該供給口２６に液体供給管（ホース又はパイプ）２７を接続して液体３を液体導入筒１７内の液体導入室２８内に導入する。即ち上記外筒１８と内筒１９間に画成された液体導入室２８内に導入する。
【００３５】
前記と同様、上記液体供給管２７はその液体放出端に設けた液体放出具２９を液体供給口２６に螺合して接続する。
【００３６】
上記各例の液体供給手段により液体供給室２８内に供給された液体３は、上記外筒１８と内筒１９の開口端２０，２１の食い込みにより画成された一方の巻き端面（液体導入面）２と常時接触し、該巻き端面２から巻き層内への浸透が図られる。
【００３７】
図１，図２に示すように、上記シリンダー１１の底板１５上に、円板状の金属製又は合成樹脂製の網又は同多孔板から成る通気通水性スペーサー３０を設置し、換言すると底板１５と多重巻きロール１の他方の巻き端面７間に通気通水性スペーサー３０を介在し、該スペーサー３０上に上記多重巻きロール１の他方の巻き端面７を載置する。
【００３８】
上記スペーサー３０により上記底板１５と多重巻きロール１の他方の巻き端面７間に形成されたスペース３３内に、該多重巻きロール１の巻き端面７から滲出する濾過済み液体３を受け入れ、これを上記液体排出口１６を通じ導出する。
【００３９】
必要に応じ、上記シリンダー１１の底板１５上面に円形の座板３２を設置し、該座板３２上面に上記スペーサー３０を脚を以って設置し、座板３２とスペーサー３０間に上記スペース３３を形成すると共に、座板３２から爪３１を上方へ向け突設し、該爪３１を上記多重巻きロール１の他方の巻き端面７の巻き層の外周部内に食い込ませ、上記底板１５上、即ち座板３２上に多重巻きロール１を固定する。上記座板３２の中央部には上記液体排出口１６と連通する排出口１６′を設ける。
【００４０】
又図示は省略するが、上記巻芯に巻き軸８を有する多重巻きロール１の他、巻芯に巻き軸８を有しないコアレスロールである場合、殊に巻き芯に貫通空隙を有しないコアレスロールである場合、或いは巻き軸８の端部が一方の巻き端面２より突出し液体３を遮断する構造を有する場合には、上記内筒１９を設けずに、多重巻きロール１の一方の巻き端面２外周部の巻き層内に液体導入筒１７、即ち外筒１８を食い込ませる構造にして所期の目的が達成できる。
【００４１】
上記液体供給口２６を通じて液体導入筒１７内の液体導入室２８、即ち外筒１８内の液体導入室２８に導入した液体３を、該外筒１８の開口端２０の食い込みにより画成された同開口端内域の巻き端面２から多重巻きロール１の巻き層内に効率良く浸透せしめる。
【００４２】
前記と同様、上記内筒１９を有しない液体導入筒１７、即ち外筒１８は密閉蓋１４の内面から一体に垂設し、密閉蓋１４の閉蓋によって上記食い込み状態を形成するようにする。
【００４３】
よって上記外筒１８により、上記平滑なシリンダー１１内周面に沿った液体３の漏出を有効に防止し、濾過性能を適切に発揮せしめ、この機能は上記液体３を多重巻きロール１の一方の巻き端面２から加圧浸透せしめる場合に有効である。
【００４４】
又図示は省略するが、巻芯に巻き軸８を有しないが巻き芯に貫通空隙を有するコアレスロールである場合にも、上記外筒１８と内筒１９による食い込み構造を採ることにより、上記貫通空隙を液体３が通過する現象を内筒１９によって有効に防止することができる。
【図面の簡単な説明】
【００４５】
【図１】本発明に係る液体濾過装置の液体導入筒の食い込み状態の一例と液体供給手段の一例を示す断面図。
【図２】同液体濾過装置の液体導入筒の食い込み状態の一例と液体供給手段の他例を示す断面図。
【図３】図１，図２におけるＡ−Ａ線断面図。
【図４】同Ｂ−Ｂ線断面図。
【図５】上記液体導入筒を形成する外筒と内筒の開口端の食い込み状態の他例を示す要部断面図。
【図６】従来の液体濾過装置における液体の漏出損失状態を示す要部断面図。
【符号の説明】
【００４６】
１…多重巻きロール、２…多重巻きロールの一方の巻き端面、３…液体、５，６…界面、７…多重巻きロールの他方の巻き端面、８…巻き軸、９…装填口、１０…濾布、１１…シリンダー、１４…密閉蓋、１５…底板、１６，１６′…液体排出口、１７…液体導入筒、１８…外筒、１９…内筒、２０…外筒の開口端、２１…内筒の開口端、２２…パッキン、２３…フランジ、２４…把手、２５…締結部材、２６…液体供給口、２７…液体供給管、２８…液体導入室、２９…液体放出具、３０…スペーサー、３１…爪、３２…座板、３３…スペース。
【図１】
2008136915.tif 000003
【図２】
2008136915.tif 000004
【図３】
2008136915.tif 000005
【図４】
2008136915.tif 000006
【図５】
2008136915.tif 000007
【図６】
2008136915.tif 000008